(57)【要約】【課題】ボールの群によって拡張部が広げられるアンカーを、その特性を利用して簡単に抜去できる技術を提供する。【解決手段】ねじ式抜去装置は、本体２とスライダー３と中継ボルト６を備えており、本体２とスライダー３の底板２ａ，３ａには、中継ボルト６に嵌まり込む切り開き溝８，９が形成されている。アンカー４の抜き取りは、アンカー４からインナーボルト１７を取り外して中継ボルト６をアンカー４にある程度ねじ込む、スライダー３を中継ボルト６に係止してからロッド７を引っ張り用ボルト１０にねじ込む、という手順で行われる。アンカー４からインナーボルト１７が取り外されているため、アンカー４は軽い力で抜き取ることができる。【選択図】図３
2020142331.tif 000002
【特許請求の範囲】
【請求項１】
インナーボルトのねじ込みによってボールの群が押されて拡張部が広がっているアンカーを施工部から引き抜く装置であって、
前記インナーボルトを除去又は緩めた後のアンカーにねじ込まれる頭付きの中継ボルトと、前記中継ボルトを軸方向に引っ張る引っ張り具とを有しており、
前記引っ張り具は、前記中継ボルトにその軸線と直交した方向から嵌め込まれて係合するスライダーと、施工面に配置される本体とを備えており、前記スライダーが、前記本体に、操作具を介して前記中継ボルトの軸方向に移動させ得るように取付けられている、
拡張式アンカーの抜去装置。
【請求項２】
インナーボルトのねじ込みによってボールの群が押されて拡張部が広がっているアンカーを施工部から引き抜く装置であって、
前記インナーボルトを抜き取るか又は緩める工程と、
頭付きの中継ボルトを前記アンカーにねじ込む工程と、
引っ張り具を使用して前記中継ボルトを引っ張ることによって前記アンカーを施工部から抜き出す工程とを備えている、
拡張式アンカーの抜去方法。
【請求項３】
インナーボルトのねじ込みによってボールの群を介して拡張部が膨れているアンカーを、人の操作で昇降するヘッド部を有する油圧式又はねじ式ジャッキを使用して施工部から引き抜く装置であって、
前記ジャッキのヘッド部に、前記インナーボルトを除去又は緩めた後のアンカーにねじ込まれると共に前記ヘッド部に連結される中継ボルトを連結している、
拡張式アンカーの抜去装置。
【発明の詳細な説明】
【技術分野】
【０００１】
本願発明は、ボールの群をインナーボルトで押すことによって拡張部が広げられる拡張式アンカーの抜去装置及び抜去方法に関するものである。
【背景技術】
【０００２】
コンクリートやレンガのような石質系の施工部に部材を固定するために、拡張式のアンカーが使用されている。このアンカーには、ピンを叩き込んでテーパ状のコーンによって拡張部を広げるタイプと、特許文献１に開示されているように、内部に配置されている多数個のボールをインナーボルトで押圧して膨らませるタイプとがあり、後者のタイプは、ハンマーを振り回す必要がないため、作業者の負担を大幅に軽減できる等の利点を有している。
【０００３】
いずれのタイプにおいても、部材を取り外した後に、アンカーを施工部から抜去せねばならない場合がある。この点、特許文献２には、ピンを使用したアンカーの抜去装置として、アンカーの雌ねじにねじ込まれる雄ねじ部を有する中空のホルダーと、ホルダーにねじ込まれてコーンを押さえるロッドとを有していて、ホルダーにハンドルを設けた装置が開示されている。特許文献２では、ホルダーをアンカーにねじ込んでからロッドを回転させると、ロッドがコーンに突っ張ることにより、アンカーに対して引き抜き力が作用する。従って、アンカーを抜き取ることができる。
【先行技術文献】
【特許文献】
【０００４】
【特許文献１】再公表ＷＯ２０１６／１２１９９３号公報
【特許文献２】特開２００５−６６７２５号公報
【発明の概要】
【発明が解決しようとする課題】
【０００５】
さて、特許文献２が対象にしているアンカーでは、コーンのくさび作用によってアンカーが広がるため、アンカーは、コーンによる抵抗に抗して強引に引き抜かねばならない。このため、抜去作業に大きな労力を要するのみならず、引き抜き時の抵抗によって施工部が破壊されるおそれもある。
【０００６】
本願発明はこのような現状に鑑み成されたものであり、特許文献１のようにボールの群で拡張部を膨らませるアンカーに関して、その特性を利用して軽い力で容易に抜去できる技術を提示せんとするものである。
【課題を解決するための手段】
【０００７】
本願発明は様々な構成を含んでおり、その典型を各請求項で特定している。このうち請求項１の発明は、インナーボルトのねじ込みによってボールの群を介して拡張部が膨れているアンカーを施工部から引き抜く装置に係るもので、この装置は、
「前記インナーボルトを除去又は緩めた後のアンカーにねじ込まれる頭付きの中継ボルトと、前記中継ボルトを軸方向に引っ張る引っ張り具とを有しており、
前記引っ張り具は、前記中継ボルトにその軸線と直交した方向から嵌め込まれて係合するスライダーと、施工面に配置される本体とを備えており、前記スライダーが、前記本体に、操作具を介して前記中継ボルトの軸方向に移動させ得るように取付けられている」
という構成になっている。
【０００８】
請求項２の発明は、インナーボルトのねじ込みによってボールの群を介して拡張部が膨れているアンカーを施工部から引き抜く方法に係るもので、この方法は、
「前記インナーボルトを抜き取るか又は緩める工程と、
頭付きの中継ボルトを前記アンカーにねじ込む工程と、
引っ張り具を使用して前記中継ボルトを引っ張ることによって前記アンカーを施工部から抜き出す工程とを備えている」
という構成になっている。
【０００９】
請求項３の発明は、インナーボルトのねじ込みによってボールの群を介して拡張部が膨れているアンカーを、移動自在なプランジャを有する油圧ジャッキを使用して施工部から引き抜く装置に係るもので、この装置は、
「インナーボルトのねじ込みによってボールの群を介して拡張部が膨れているアンカーを、人の操作で昇降するヘッド部を有する油圧式又はねじ式ジャッキを使用して施工部から引き抜く装置であって、
前記ジャッキのヘッド部に、前記インナーボルトを除去又は緩めた後のアンカーにねじ込まれると共に前記ヘッド部に連結される中継ボルトを連結している」
という構成になっている。
【発明の効果】
【００１０】
本願各発明では、アンカーの抜き外しに際しては、インナーボルトを取り外すか又は緩めるものであり、これにより、ボールの群に対する押圧力が解除されて、拡張部は窄まる方向に軽い力で変形しうる。従って、アンカーを、その特性を利用して軽い力で抜き取ることができる。また、抜き取りに際して施工部に大きな抵抗が作用することはないため、施工部の破壊を確実に防止できる利点もある。
【００１１】
請求項１の装置において、スライダーを引っ張る操作具は種々のものを採用できるが、実施形態のようにねじ式の操作具を採用すると、動力ドライバを使用してスライダーを移動操作できるため、作業者の負担軽減に更に好適である。また、装置は金属板などで製造可能であって軽量化・コンパクト化できるため、壁や天井部に打ち込まれているアンカーの抜去も容易に行うことができる。
【００１２】
他方、請求項３のように油圧式又はねじ式ジャッキを使用すると、大径で長いアンカーであっても容易に抜き外すことができる。従って、アンカーの大きさ等に応じて、請求項１の装置と請求項３の装置とを使い分けたらよい。
【図面の簡単な説明】
【００１３】
【図１】第１実施形態の分離斜視図である。
【図２】第１実施形態の作業手順を示す図である。
【図３】（Ａ）は図２（Ｅ）のIIIA-IIIA 視断面図、（Ｂ）（Ｃ）は作業手順を示す図である。
【図４】（Ａ）は第２実施形態の正面図、（Ｂ）は（Ａ）のＢ−Ｂ視断面図、（Ｃ）は第３実施形態の正面図である。
【図５】第４実施形態を示す図で、（Ａ）は正面図、（Ｂ）は（Ａ）の部分平面図である。
【図６】第４実施形態の使用状態を示す正面図である。
【図７】第５実施形態の使用状態を示す正面図である。
【発明を実施するための形態】
【００１４】
(1).第１実施形態の構造
次に、本願発明の実施形態を説明する。まず、図１〜３に示す第１実施形態を説明する。本実施形態は、動力ドライバを使用してアンカーを抜き取るねじ式の抜去装置１であり、この装置１は、図１に示すように、施工部Ｇに配置される前後開口箱状の本体２と、本体２の内部に配置されるスライダー３と、アンカー４の雌ねじ穴５に外側からねじ込まれる中継ボルト６と、動力ドライバ（図示せず）で回転操作されるロッド７とを備えている。
【００１５】
本体２は、スライダー３がアンカー４を抜き取るのに必要なストロークを有するように、上下に長い形態になっている。本体２は前後に開口した箱状になっているが、背板を備えた構成も採用可能である。また、本体２は、左右の側板と底板２ａと天板２ｂとを有しており、底板２ａには、前向きに開口した切り開き溝８を形成している。切り開き溝８は、アンカー４が通過し得るように、アンカー４の外径よりも大きい寸法の溝幅になっている。なお、本体２は、底板２ａを備えていない構成も採用可能である。
【００１６】
中継ボルト６は頭６ａを有している。なお、中継ボルト６の頭６ａは円形になっているが、通常の六角ボルトを使用することも可能である。スライダー３は、左右の側板と底板３ａと天板３ｂとを有する前後開口の箱形（或いは各筒状）に形成されており、底板３ａには、中継ボルト６の軸部が入り込み得る切り開き溝９を形成している。
【００１７】
スライダー３の天板３ｂには引っ張り用ボルト１０を立設しており、本体２の天板２ｂには、引っ張り用ボルト１０が挿通し得る逃がし穴１１を空けている。引っ張り用ボルト１０は、ボス体１２を介して固着されている。図２（Ｅ）に示すように、引っ張り用ボルト１０は、本体２の内部に収まる長さに設定しているが、図２（Ｅ）に一点鎖線で示すように、スライダー３を本体２の底板２ａに載せた状態で、本体２の天板２ｂから突出する長さであってもよい。
【００１８】
図３（Ａ）に示すように、スライダー３の左右横幅を、本体２の左右内幅寸法よりも少し小さい程度に設定することにより、スライダー３が本体２の内部で水平旋回できないように設定している。正確に述べると、平面視におけるスライダー３の対角線の寸法を、本体２の左右内幅よりも大きい寸法に設定することにより、スライダー３が本体２の内部で水平旋回できないように設定している。
【００１９】
図１に示すように、ロッド７の一端には、引っ張り用ボルト１０に螺合する雌ねじ穴１３が開口しており、他端には、動力ドライバに装着した六角レンチ１４が係合する係合穴（六角穴）１５が開口している。雌ねじ穴１３は、引っ張り用ボルト１０に対して深くねじ込みできるように長い長さになっている。この実施形態では、ロッド７とレンチ１４とが、請求項に記載した操作具になっている。
【００２０】
(2).第１実施形態の作業手順
次に、図２，３を参照して、ねじ式抜去装置１を使用したアンカー４の抜き取り手順を説明する。まず、図１（Ａ）（Ｂ）に示すように、アンカー４の内部に配置されているインナーボルト１７をレンチ１４によって抜き外すか又は大きく緩める。
【００２１】
アンカー４にはボール１６の群が内蔵されており、ボール１６の群がインナーボルト１７で押圧されることにより、アンカー４の拡張部４ａがボール１６で押されて膨れ変形（広がり変形）している。そして、拡張部４ａが広がっていることにより、アンカー４に対して引き抜き抵抗が発生しているが、インナーボルト１７を抜き外すか大きく緩めると、ボール１６に対する押圧作用が解除されるため、ボール１６はアンカー４の内部で動き易くなって、拡張部４ａは窄まる方向に変形しやすくなる。
【００２２】
次いで、図２（Ｃ）に示すように、アンカー４の雌ねじ穴５に中継ボルト６をねじ込む。この場合、頭６ａと施工部Ｇとの間に、本体２及びスライダー３の底板２ａ，３ａが入り込む程度の間隔が空くようにしておく。
【００２３】
次いで、図２（Ｄ）に示すように、本体２を施工部Ｇに重ねて配置してずり動かすことにより、本体２の底板２ａの切り開き溝８を中継ボルト６の軸部に嵌め込み、それから、図２（Ｅ）に示すように、スライダー３を紙面の裏側から本体２の内部に嵌め入れつつ、その底板３ａの切り開き溝９を中継ボルト６の軸部に嵌め込む。
【００２４】
この場合、先にスライダー３を中継ボルト６に嵌め込むことも可能であるし、予めスライダー３を本体２内部に嵌め入れておいて、本体２の底板２ａとスライダー３の底板３ａとを、同時に中継ボルト６の軸部に嵌め込むことも可能である。後者の場合、図２（Ｅ）に一点鎖線で示すように、引っ張り用ボルト１０の上端を本体２の天板２ｂから少し突出させておくと、スライダー３を本体２の内部にセットした状態が保持されるため、好適である。
【００２５】
それから、図３（Ｂ）に示すように、スライダー３を持ち上げて、引っ張り用ボルト１０の上端部を本体２の天板２ｂの逃がし穴１１に下方から挿通することにより、引っ張り用ボルト１０の上端部を本体２の上方に露出させ、この露出した端部にロッド７を手でねじ込み、その後、ロッド７をレンチ１４でねじ込む。すると、ロッド７の下端は本体２の上面に当接しているため、ロッド７の回転によって引っ張り用ボルト１０が上昇し、これにより、アンカー４が施工部Ｇから引き抜かれる。
【００２６】
図２（Ｅ）に一点鎖線で示すように、引っ張り用ボルト１０の上端部が本体２の上方に予め突出している場合は、スライダー３を持ち上げる操作は不要である。また、アンカー４が施工部Ｇから完全に抜けるまでスライダー３を上昇させることも可能であるし、動力ドライバに対する抵抗が弱くなった段階で本体２を中継ボルト６から取り外して、後は、中継ボルト６の頭６ａに手を掛けて上に引っ張ってアンカー４を抜き外すことも可能である。
【００２７】
そして、アンカー４の抜き取りは、インナーボルト１７を取り外すか緩めた状態で行われるため、アンカー４の抜き取りを軽い力で行える。インナーボルト１７を取り外している場合は、アンカー４を抜き外してから、インナーボルト１７をアンカー４にねじ込み直してもよい。
【００２８】
本体２やスライダー３は鋼板を使用して簡易に製造できるため、低コストで製造できると共に軽量化できる。また、作業に際しては、作業者は、一方の手で本体２を押さえて、他方の手で動力ドライバを操作することができるため、アンカー４が天井や壁に打ち込まれている場合であっても、作業を１人で容易に行える。また、本体２及びスライダー３は、横移動させるだけで切り開き溝８，９を中継ボルト６の軸部に嵌め込みできるため、更に、作業性に優れている。
【００２９】
(3).他の実施形態
図４に示す第２，３実施形態も、ねじ式の抜去装置１に適用している。このうち（Ａ）（Ｂ）に示す第２実施形態では、本体２は、底板は備えずに下向きに開口している一方、背板１９を備えていて平断面コ字形になっており、かつ、左右側板の前端に、スライダー３が前向きに外れることを防止する上下長手の規制片２０を設けている。更に、左右側板の下端には、スライダー３の下向き抜けを阻止するストッパー２１を設けている。
【００３０】
従って、本実施形態では、スライダー３は、本体２の内部に離脱不能で上下動可能に配置されており、スライダー３がストッパー２１に載った状態で、引っ張り用ボルト１０の上端部は本体２の上方に突出している。
【００３１】
従って、このねじ式抜去装置１は、中継ボルト６をアンカー４にねじ込んでから、スライダー３を中継ボルト６に嵌め入れて、引っ張り用ボルト１０にロッド７をねじ込むという手順により、アンカー４の抜き取りが行われる。なお、抜去装置１の組み立てに際しては、スライダー３は、ストッパー２１が形成されていない状態で本体２に挿入されており、スライダー３を本体２に挿入してからストッパー２１が曲げ形成されている。
【００３２】
図４のうち（Ｃ）に示す第３実施形態では、本体２は、第２実施形態と同様に背板１９とストッパー２１とを有していると共に、前板２２を有している。従って、本体２は、天板２ｂを備えた角筒状の形態を成している。中継ボルト６へのスライダー３の嵌め込みを許容するために、前板２２の下端部は切り欠かれている。
【００３３】
また、この第３実施形態では、引っ張り用ボルト１０は、本体２の天板２ｂに固定したナット部材２３に螺合している一方、スライダー３に対しては回転自在に保持されて、下端に、スライダー３の天板３ｂに下方から当たるフランジ２４を設けている。また、引っ張り用ボルト１０の上端面には、レンチ１４が係合する係合穴（図示せず）を設けている。
【００３４】
この実施形態では、引っ張り用ボルト１０をレンチ１４で回転操作すると、引っ張り用ボルト１０のフランジ２４によるスライダー３の引き上げ作用により、引っ張り用ボルト１０及びスライダー３が上昇する。従って、第１，２実施形態のロッド７は不要であり、部材の紛失の問題はない。
【００３５】
図５，６に示す第４実施形態は、油圧ジャッキ２７を使用した抜去装置２８に係るものある。油圧ジャッキ２７は、プランジャ２９が摺動自在に配置された本体（シリンダ）３０と、上下回動式のハンドル３１によって圧油を本体３０（シリンダ）に送るポンプ３２とを有しており、ハンドル３１は、支持体３３にピン３４によって回動自在に連結されている。
【００３６】
他方、抜去装置２８は、油圧ジャッキ２７におけるプランジャ２９の上端部にナット３５で固定されるＬ形のヘッド部（ブラケット）３６と、アンカー４にねじ込まれる両切りの中継ボルト３７と、中継ボルト３７に上方からねじ込んだロングナット３８と、ヘッド部３６を貫通してロングナット３８にねじ込まれる連結ボルト３９とを有しており、連結ボルト３９にはロックナット４０を螺合している。
【００３７】
この第４実施形態では、インナーボルト１７が除去又は緩められたアンカー４に中継ボルト３７をねじ込んでから、図６に示すように、ロングナット３８を上昇させてヘッド部３６に当接させ、次いで、連結ボルト３９をロングナット３８にある程度ねじ込んでから、ロックナット４０をねじ込んでヘッド部３６に当て、それから、ハンドル３１を操作して油圧ジャッキ２７のプランジャ２９を上昇させることにより、アンカー４を抜き取ることができる。
【００３８】
この第４実施形態では、油圧ジャッキ２７が非常に大きな持ち上げ力を有するため、アンカー４が大型で長いものであっても、軽い力で抜き取ることができる。なお、抜き取り作業に際して、ロングナット３８はヘッド部３６に下方から当接させていなくてもよい。
【００３９】
図７に示す第５実施形態は第４実施形態の変形例であり、プランジャ２９と、ヘッド部３６とこれに挿通した１本の中継ボルト４１、及び、中継ボルト４１に上方から螺合したナット４２とで構成されている。従って、構成はごくシンプルである。中継ボルト４１にロックナット４３を螺合しておくことも可能である。
【００４０】
この実施形態では、アンカー４の抜き取りの作業手順としては、例えば、ヘッド部３６に挿通した中継ボルト４１をアンカー４にねじ込んでから、ナット４２をヘッド部３６に当たるまでねじ込み、次いで、ハンドル３１を操作してプランジャ２９を上昇させたらよい。
【００４１】
以上、本願発明の実施形態を説明したが、本願発明は他にも様々に具体化できる。例えは、ねじ式の抜去装置において、本体は必ずしも板金製品である必要はないのであり、樹脂製品やダイキャスト品なども採用できる。また、操作具としては、テコ作用を利用したハンドルなども採用可能である。ジャッキは、油圧式には限らず、ねじ式のものも使用できる。
【産業上の利用可能性】
【００４２】
本願発明は、アンカーの抜去技術に具体化できる。従って、産業上利用できる。
【符号の説明】
【００４３】
１  ねじ式の抜去装置
２  本体
３  スライダー
４  アンカー
４ａ  拡張部
６  中継ボルト
７  ロッド
８，９  切り開き溝
１０  引っ張り用ボルト
１４  操作具を構成するレンチ
１６  ボール
２７  油圧ジャッキ
２８  抜去装置
２９  プランジャ
３０  本体（シリンダ）
３１  ハンドル
３６  ヘッド部
３７，４１  中継ボルト
３８  ロングナット
３９  連結ボルト
【図１】
2020142331.tif 000003
【図２】
2020142331.tif 000004
【図３】
2020142331.tif 000005
【図４】
2020142331.tif 000006
【図５】
2020142331.tif 000007
【図６】
2020142331.tif 000008
【図７】
2020142331.tif 000009